(57)【特許請求の範囲】
【請求項１】
屋根を有する混練設備において、
屋根を傾斜可能に、前記屋根の中央を支持する回転支持部と、
屋根の端部に取り付けた綱材とを備え、
混練設備へ混練物の投入時に、綱材に力を作用して、回転支持部を支点に屋根を傾斜させることを特徴とする、
混練設備。
【発明の詳細な説明】
【０００１】
【発明の属する技術分野】
本発明は、混練設備に関するものである。
【０００２】
【従来の技術】
従来、混練設備に雨や雪が侵入すると、混練物の含水量が大きく変化してしまい、スランプの均一な混練物が得られない。
【０００３】
そこで、雨や雪の侵入を防ぐために、混練設備に屋根が必要であるが、骨材をホイールローダで混練設備へ投入する場合、バケットを持ち上げた際に、バケットが屋根に衝突しないだけ、屋根を高く大規模にする必要がある。
【０００４】
【課題を解決するための手段】
本発明は、屋根を有する混練設備において、屋根を傾斜可能に、前記屋根の中央を支持する回転支持部と、屋根の端部に取り付けた綱材とを備え、混練設備へ混練物の投入時に、綱材に力を作用して、回転支持部を支点に屋根を傾斜させることを特徴とする、混練設備にある。
【０００５】
従来、被災地などで使用する簡易な建築物は、組立が簡単であると同時に解体、破壊も簡単である。そのため、盗難や火災などに対して弱く、重要な資材や貴重品などを収容する建物には適していない。
【０００６】
【発明が解決しようとする課題】
＜イ＞本発明は、簡単な屋根の構築によって、バケットによる投入の障害にならない混練設備を提供することにある。
【０００７】
【課題が解決するための手段】
本発明は、屋根を有する混練設備において、屋根を傾斜可能に支持する回転支持部と、屋根に取り付けた綱材とを備え、混練設備へ混練物の投入時に、綱材に力を作用して、回転支持部を支点に屋根を傾斜させることを特徴とする、混練設備、又は、
地上で鋼材を組み立てて屋根を形成し、組み立てた屋根を吊上げ、コンクリート製品からなる壁の頂部に取り付けることを特徴とする、堅牢な簡易建物の建築方法にある。
【０００８】
【発明の実施の形態】
以下、本発明の混練設備の実施の形態を説明する。
【０００９】
＜イ＞混練設備
混練設備１は、モルタルやコンクリートなどの混練物を混練する設備である。混練設備は、例えば図１〜図２のように、混練物を混練する混練部３と、混練部３の上方に雨や雪が混練部内に入るのを防止する屋根２とを備えている。
【００１０】
骨材などの混練物を運搬して、混練部３に投入するホイールローダ４などの車両が登れる傾斜台１２を配置する。車両が傾斜台１２に登って、混練物を混練部３の開口部に投入する。
【００１１】
混練された混練物は、ベルトコンベア１１などの移送手段を利用して、ミキサー車や打設場所など所定の場所に移送される。
【００１２】
＜ロ＞混練設備の屋根
混練設備１の屋根２は、混練物の運搬車が、混練部３の開口部から骨材などの混練物を投入する際、屋根２が傾斜するように、回転支持部２１を備えている。回転支持部２１は、屋根が傾斜できる構造であれば良く、例えば、屋根２の中心軸の両端を水平ピンで支持したり、屋根の中心軸を水平軸で支持したり、又は、屋根の中央を支持軸で支持するなど種々の方法がある。
【００１３】
屋根を傾斜させるために、屋根に綱材２３を取り付ける。綱材２３は、屋根に力を作用して傾斜できるものであれば良い。例えば、屋根の端部に棒や綱を取り付け、押したり、又は、引いたして、屋根を傾斜させる。
【００１４】
図１〜図２の場合、回転支持部に水平ピンを使用し、屋根の端の固定部２２に綱材２３を取り付け、混練部３の周囲に配置された滑り部３１に綱材２３をかける。綱材２３を引くことによって、滑り部３１が回転したり滑ったりして、綱材２３が抵抗なく滑り、屋根２を容易に傾斜させることができる。
【００１５】
＜ハ＞屋根の傾斜方法
骨材などの混練物を運搬してきたホイールローダ４などの運搬車は、傾斜台１２に登る。ドライバが綱材２３を引くと、屋根２が傾斜して、手前の屋根２が上に昇り、屋根２と混練部３の間隙が広くなる。この広くなった空間にバケット４１やショベルなどの混練物の運搬手段が入り、混練物を容易に混練部３の開口へ投入することができる。
【００１６】
投入終了後、綱材２３を元に戻すと、屋根２が水平に戻り、混練部３の開口上部を覆うことができる。
【００１７】
以下、本発明の堅牢な簡易建物の実施の形態を説明する。
【００１８】
＜イ＞堅牢な簡易建物
堅牢な簡易建物は、鋼材を骨組みにして屋根を作り、コンクリート製品で壁を構築する。なお、コンクリート製品は、現場で打設して作られるものでなく、工場で製作されたものである。
【００１９】
建物の床や入口部のスロープは、板状や傾斜状のコンクリート製品を組み合わせて配置することにより簡単に構築できる。
【００２０】
堅牢な簡易建物は、簡易な堅牢な倉庫や、トンネル工事の吹付けプラント設備の骨材ストレージ（ストック・ヤード）などに適している。
【００２１】
＜ロ＞壁
簡易建物の壁７は、例えば図３〜図４では、コンクリート製品としてコンクリート擁壁７１で構築する。コンクリート擁壁７１を複数並べて配置することにより、建物の大きさを任意にできる。コンクリート擁壁７１の隣接部は、止金具７３で相互に連結する。建物のコーナー部は、コーナー擁壁７２で接続する。コンクリート擁壁７１は、一例としてＬ型擁壁が使用できる。
【００２２】
コンクリート擁壁７１は、盗難や火災に対して、極めて強固であり、しかも、簡単に壁７を構築することができる。
【００２３】
＜ハ＞屋根
簡易建物の屋根６は、例えば図３〜図４では、骨組みとして鋼材６１を使用する。鋼材６１として、例えばＨ鋼を使用し、ボルト６４で固定する。屋根６を壁７の上部に配置し、Ｌ字固定具６３によって壁を両側から挟むようにして、壁７と屋根６を固定する。Ｌ字固定具６３は、鋼材６１にボルト６４で固定される。鋼材６１の骨組みの上に板状体６２を取り付けて、屋根６を形成する。
【００２４】
＜ニ＞簡易建物の構築手順
地上で鋼材６１をボルト６４で固定し、屋根６の骨組みを組み立てる。骨組みの上に板状体６２を取り付ける。コンクリート擁壁７１を隣接して配置し、止金具７３で相互に連結し、壁７を構築する。壁７のコーナーは、コーナー擁壁７２を配置する。
【００２５】
組み立てられた屋根６を吊上げ、コンクリート擁壁７１の上部に配置する。Ｌ字固定具６３で壁７を両側から挟み、ボルト６４で固定し、屋根６と壁７を相互に連結する。床５１と入口のスロープ５２も既成のコンクリート製品を使用する。
【００２６】
【発明の効果】
本発明は、以下のような効果を得ることができます。
＜イ＞本発明は、混練設備の屋根を傾斜可能にすることにより、屋根を低くでき、支柱なども短く簡易なものにできる。
＜ロ＞本発明は、混練設備の屋根を中央部で支持するので、簡単な構造になり、組立や解体が簡単にできる。
＜ハ＞本発明は、混練設備の屋根を傾斜可能にするので、充分に広い作業空間を確保することができる。
【図面の簡単な説明】
【図１】屋根を有する混練設備の説明図
【図２】屋根を傾斜させた状態の混練設備の説明図
【図３】コンクリート製品を用いた簡易建物の説明図
【図４】簡易建物のコーナー部の説明図
【符号の説明】
１・・・混練設備
１１・・ベルトコンベア
１２・・傾斜台
２・・・屋根
２１・・回転支持部
２２・・固定部
２３・・綱材
３・・・混練部
３１・・滑り部
４・・・ホイールローダ
４１・・バケット
５・・・簡易建物
５１・・床
５２・・スロープ
６・・・屋根
６１・・鋼材
６２・・板状体
６３・・Ｌ字固定具
６４・・ボルト
７・・・壁
７１・・コンクリート擁壁
７２・・コーナー擁壁
７３・・止金具
【図１】
0004169230.tif 000002
【図２】
0004169230.tif 000003
【図３】
0004169230.tif 000004
【図４】
0004169230.tif 000005